(57)【特許請求の範囲】
【請求項１】
既設のタービンの軸を軸受けに代わって支持し、タービンをゆっくり回転させて全周にわたり点検、保守する支持装置であって、
直接又は間接的に地上に載置される高さ調整可能な架台と、
前記タービン軸を協同して載せ受けるように相対向し、前記架台上に前記タービン軸と同一方向の軸線周りに回転可能に夫々支持され、少なくとも一方が回転駆動可能な一対の支持ローラと、
前記架台に両端部が夫々係止され、前記タービン軸に掛け回して架台の設置経路を固定し、軸周りに架台を移動させてタービン軸の下方に配置するための着脱可能なバンドとを具備することを特徴とするタービンの点検、保守用支持装置。
【請求項２】
前記架台の下部には、油圧式の高さ調整装置が設けられていることを特徴とする請求項１に記載のタービンの点検、保守用支持装置。
【請求項３】
前記架台には架台の転倒を防止する補助脚が設けられていることを特徴とする請求項１に記載のタービンの点検、保守用支持装置。
【請求項４】
前記タービン軸には、支持ローラとの接触からタービン軸を保護する保護材を介在させて掛け回すことを特徴とする請求項１に記載のタービンの点検、保守用支持装置。
【発明の詳細な説明】
【０００１】
【発明の属する技術分野】
本発明は、既設のタービンの外周を保守、点検するために、タービン軸を軸受けに代わって支持してタービンをゆっくり回転させるための支持装置に関するものである。
【０００２】
【従来の技術】
従来、タービンは、その設置場所で周りを囲まれた設備に組み込まれているので、特に保守作業に当たり、ロータを軸受けから解放して天井クレーン等で吊り上げ、設置場所から移動させて、阻害設備のない場所に設置した回転ローラ付きの支持台にロータ軸を載せ置いて作業を行っている。
【０００３】
【発明が解決しようとする課題】
上記従来のタービンの点検、保守作業においては、大型で大重量のロータを移動させるのに大掛かりな設備を用いた慎重を要する難作業となるので、点検、保守の内容によってはその場でロータを軸受けから浮かせ、かつ回転させることができれば、作業も簡単かつ安全で、好都合である。また、元の位置に戻すときに芯合わせも簡単になる。
そこで、本発明は、ロータの移動を可級的に小さくすると共に、比較的小型軽量に構成して取り扱いを容易にし、ロータを破損させることなく、芯合わせも容易にでき、簡易に点検、保守作業を行うことができるタービンの点検、保守用支持装置を提供することを課題としている。
【０００４】
【課題を解決するための手段】
上記課題を解決するため、第１の発明においては、既設のタービンの軸Ｔ１を軸受けに代わって支持し、タービンをゆっくり回転させて全周にわたり点検、保守する支持装置１であって、直接又は間接的に地上に載置される高さ調整可能な架台２に、タービン軸Ｔ１を協同して載せ受ける相対向した一対の支持ローラを、タービン軸Ｔ１と同一方向の軸線周りに回転可能に夫々支持して、少なくとも一方を回転駆動させるようにし、また架台２に着脱可能なバンド１５の両端部を夫々係止し、タービン軸Ｔ１に掛け回して架台２の設置経路を固定し、軸周りに架台を移動させてタービン軸の下方に配置するようにタービンの点検、保守用支持装置１を構成した。
第２の発明においては、架台２の下部に油圧式の高さ調整装置３を設けた。
第３の発明においては、架台２に転倒を防止するための補助脚４を設けた。
第４の発明においては、支持ローラとの接触からタービン軸Ｔ１を保護するための保護部材を介在させた。
【０００５】
【発明の実施の形態】
本発明の実施の一形態を図面を参照して説明する。
図１乃至図３において、一対の支持装置１は、発電所等に設置されたタービンの軸Ｔ１の両端部をタービンの既設の設置場所で支持するものである。支持装置１は、設置施設の床面上にレベル調整ブロックＢを介して載置される架台２を備えている。レベル調整ブロックＢは、タービンの軸Ｔ１を支持する上で支持装置１の高さ調整を大まかに行うものである。
【０００６】
架台２は、上部にタービン軸Ｔ１を載せ受けるように略円弧状に凹んだ箱状を成す。架台２の下面には、油圧式高さ調整装置３が設けられている。この油圧式高さ調整装置３は、図４に示すように、架台２の下面に設けられたシリンダ３ａに、油圧ポンプ３ｂ、圧力計３ｃ、チェック弁３ｄが接続されて構成される。高さ調整装置３は、支持装置１がタービン軸Ｔ１の下方に配置された後、架台２の位置を上げ、タービン軸Ｔ１を載せて浮かせることができる。
【０００７】
架台２におけるタービン軸Ｔ１の軸線方向前部にはレベル調整ブロックＢに載せて安定させるための長さ調整可能な補助脚４が設けられている。補助脚４は、架台２の両側部から前方に夫々突出して横方向に並んで縦方向に夫々伸びている。補助脚４は、図２に示すように、長さ方向に複数の調整孔５ａを有する固定筒５と、固定筒５に挿入されて下方向に突き出る脚本体７と、脚本体７の途上に有するピン孔及び調整孔５ａを貫通する固定ピン７とを備えている。補助脚４は、調整孔５ａを適宜選択して脚本体７の突出長さを変え、ピン７を差し込んで固定することによりレベル調整ブロックＢ上に載置された架台２が前のめりに転倒するのを防止する。
【０００８】
架台２の内部両側には、支持ローラ８，８が夫々回転自在に支持されている。支持ローラ８，８は架台２の上面から僅かに露出するように配置されており、両者でタービン軸Ｔ１を協働して載せ受けて軸周りに回転させるように軸支されている。支持ローラ８，８には駆動機構が付設されている。駆動機構は、モータ９、減速機１０、駆動ギア１１、伝動ギア１２、テンションギア１３及び伝動チェーン１４とを備えている。モータ９は架台２の前面部に固定されている。減速機１０は、同じく架台２の前面部にモータ９に隣接して設けられ、モータ９の軸に連結されている。駆動ギア１１、伝動ギア１２及びテンションギア１３は架台２内に軸支されている。駆動ギア１１は減速機１０に、伝動ギア１２は支持ローラ８，８に夫々連結されている。テンションギア１３はギア１１，１２間に介在する。伝動チェーン１４はギア１１，１２，１３に噛み合うように掛け回されている。
【０００９】
架台２の両側端部間には、支持ローラ８，８との対応位置にタービン軸Ｔ１に掛け回す着脱可能なバンド１５が係止される。このバンド１５は、架台２に連続して環状を成し、タービン軸Ｔ１に掛け回されて、架台２が上側から徐々に軸周りに位置を変えて下側に移動するように移動経路を規制する。図５に示すように、タービン軸Ｔ１には支持ローラ８との直接の接触を避けて保護するための保護材である銅板１６及び金属製リング１７が掛け回される。そして、バンド１５は、この銅板１６及び金属製リング１７周りに掛け回される。銅板１６及び金属製リング１７は一対の半割要素で夫々構成され、両端部を突き合わせて取り付けられる。金属製リング１７は半割要素相互の端部同士を突き合わせてボルトで固定される。
【００１０】
この支持装置１においては、発電所等に設置されたままのタービン軸Ｔ１を軸受けから解放して、タービン軸Ｔ１にリング１７の半割要素をボルト止めして装着し、リング１７とタービン軸Ｔ１との間にさらに銅板１６を差し入れておく。そして、支持装置１を図示しないチェーンブロックなどで吊り上げ、リング１７周りにバンド１５を装着して、タービン軸Ｔ１の上部に支持装置１を配置する。なお、リング１７周りにバンド１５を装着すると、支持ローラ８，８もリング１７の位置に合致する。チェーンブロックを操作して架台２を保持しながら、図６に示すように、タービン軸Ｔ１周りに回転させて下方へ配置する。それから、予めタービン軸Ｔ１の下方に配置したレベル調整ブロックＢ上に架台２を載せて、バンド１５を外しタービン軸Ｔ１がまだ浮いた状態の架台２を補助脚４でバランスを調整して安定させ、転倒を防止する。以上の操作をタービン軸Ｔ１の他端側位置でも行う。次に、タービン軸Ｔ１の両側の支持装置１，１の油圧ポンプ３ｂを操作して高さ調整装置３で架台２を夫々上昇させ、タービン軸Ｔ１を軸受けから僅かに浮かせる。タービン軸Ｔ１を支持装置１，１で支持したら、モータ９で支持ローラ８，８を駆動してタービンＴをゆっくり回転させ、その周囲を点検し、必要に応じて保守作業を行う。タービン軸Ｔ１と支持ローラ８，８との間にはリング１７及び銅板１６が介在するので、タービン軸Ｔ１は支持ローラ８，８の接触によって傷つくことがない。保守、点検作業の終了後、先と逆の手順で支持装置１を取り外す。即ち、支持装置１，１の高さ調整装置３で架台２を夫々下降させ、タービン軸Ｔ１を軸受けに載せ置く。タービン軸Ｔ１上のリング１７にバンド１５を装着してから、補助脚４を縮小させて支持装置１をレベル調整ブロックＢ上からチェーンブロックなどで浮かせて保持し、タービン軸Ｔ１周りに回転させて上方へ吊り上げ、バンド１５を取り外してから支持装置１をタービン軸Ｔ１から離し置き、リング１７、銅板１６を取り外す。
【００１１】
【発明の効果】
以上のように、本発明は、タービンを僅かに浮かせて戻すだけの移動で足りるので、芯合わせの微調整作業を省くことができると共に、タービンを破損させるおそれもなく、簡易に点検、保守作業を行うことができるし、装置も比較的小型軽量に構成することができるという効果を有する。
【図面の簡単な説明】
【図１】本発明に係る支持装置の正面図である。
【図２】支持装置の側面図である。
【図３】支持装置の平面図である。
【図４】油圧装置の構成図である。
【図５】取付状態のバンドの分解図である。
【図６】支持装置の設置過程を示す支持装置の正面図である。
【符号の説明】
１    支持装置
２    架台
３    高さ調整装置
４    補助脚
８    支持ローラ
９    モータ
１５    バンド
１６    銅板
１７    リング
Ｔ１  タービン軸
Ｂ    レベル調整ブロック
【図１】
0004707272.tif 000002
【図２】
0004707272.tif 000003
【図３】
0004707272.tif 000004
【図４】
0004707272.tif 000005
【図５】
0004707272.tif 000006
【図６】
0004707272.tif 000007